(57)【特許請求の範囲】
【請求項１】
強誘電性液晶素子に画像を表示させるための複数の走査電極からなる走査電極群と、複数の情報電極からなる情報電極群と、を駆動する駆動手段と、
前記強誘電性液晶素子を駆動するための交流化信号と、全面一括消去期間において前記交流化信号を反転させた反転信号とを生成する生成手段と、
走査電極群が非選択状態となるように設定すると共に、情報電極群が選択状態となるように設定する設定手段と、
前記設定手段により走査電極群が非選択状態に設定されかつ情報電極群が選択状態に設定されたときに、全面一括消去をするために前記生成手段で生成された交流化信号と反転信号とを前記駆動手段に入力する制御手段と、
を備えた液晶素子用制御装置。
【請求項２】
前記設定手段は、画像の表示終了後に画面最初の走査を活性化させずに次走査への指示信号を出力して前記走査電極群を非選択状態に設定することを特徴とする請求項１に記載の液晶素子用制御装置。
【請求項３】
強誘電性液晶素子に画像を表示させるための複数の走査電極からなる走査電極群と、複数の情報電極からなる情報電極群と、を駆動する駆動方法であって、
前記強誘電性液晶素子を駆動するための交流化信号と、全面一括消去期間において前記交流化信号を反転させた反転信号とを生成し、
走査電極群を非選択状態に設定しかつ、情報電極群を選択状態に設定し、
全面一括消去をするために前記設定した走査電極群及び前記情報電極群に、前記生成した交流化信号と反転信号とを入力する
液晶素子用制御方法。
【発明の詳細な説明】
【０００１】
【発明の属する技術分野】
本発明は、液晶素子用制御装置及び液晶素子用制御方法にかかり、特に、画像を表示させるときに液晶素子で形成される画素を消去しながら書き込む液晶素子用制御装置及び液晶素子用制御方法に関する。
【０００２】
【従来の技術】
従来、強誘電性液晶材料を用いたドットマトリクス型液晶光学素子の駆動方法の代表例として２パルス法と４パルス法が知られている。しかしながら、４パルス法では、通常、１ラインづつ選択し選択したラインを消去しながら書き込むために１画面の走査時間が２パルス法と比べて長くなるという問題がある。一方、２パルス法では画面を書き込む走査時間の他に画面を消去する期間が必要となる。通常、この場合の画面消去は全画素を一括消去している。
【０００３】
この２パルス法では、全画面一括消去において、書き込み期間中の１ライン選択期間の１０倍以上の全面一括消去期間を設けることにより、画像を完全消去させて背景むら等を防止して印画品質を上げるように改善する技術が提案されている（特開平５−２９７３４９号公報参照）。また、周囲温度や経過時間による画像劣化を改善するために、周囲温度や画像を表示してからの経過時間により、液晶表示素子に与える消去パルス幅を可変する技術が提案されている（特開平１０−１２３４８６号公報参照）。
【０００４】
これら従来の技術では、全面一括消去パルスの電圧はライン選択期間の書き込みパルスの電圧と同じ値の電圧が印加されている。これら従来の技術により、容易に入手可能なドライバＩＣを用いて、全面一括消去しようとするには、コモン側の全ラインを選択することが考えられるが、制御が煩雑になるという問題が発生する。
【０００５】
ところで、容易に入手可能なドライバＩＣを用いて簡単に強誘電性液晶パネルを駆動させる技術が提案されている（特許第２８０７０７０号公報参照）。この技術では、強誘電性液晶パネルを駆動するにあたって、ＴＮ液晶用ドライバＩＣを使った場合の全面一括消去を、コモンドライバＩＣの出力電極の一部を強誘電性液晶パネルに接続しない非接続電極を設け、その非接続コモン電極を選択している状態で、反転させた液晶駆動出力交流化信号をセグメント側とコモン側に印加している。
【０００６】
【発明が解決しようとする課題】
しかしながら、非接続電極（ダミー電極）を用いた場合には、ドライバＩＣの出力端子を必ず１つ以上無駄にしなければならない。低コスト化のためにはドライバＩＣの出力端子数はパネルの画素数の公約数を用いることが一般的であるが、非接続電極を設ける場合、パネルの表示画素数を減らしたり、画素数の公約数に設定しないようにしたりしなければならずに、性能ダウンやコストアップが発生する。
【０００７】
本発明は、上記事実を考慮して、容易に入手可能なドライバＩＣを用いて簡単に強誘電性液晶素子を駆動することができる液晶素子用制御装置及び液晶素子用制御方法の提供を目的とする。
【０００８】
【課題を解決するための手段】
上記目的を達成するために請求項１に記載の発明の液晶素子用制御装置は、強誘電性液晶素子に画像を表示させるための複数の走査電極からなる走査電極群と、複数の情報電極からなる情報電極群と、を駆動する駆動手段と、前記強誘電性液晶素子を駆動するための交流化信号と、全面一括消去期間において前記交流化信号を反転させた反転信号とを生成する生成手段と、走査電極群が非選択状態となるように設定すると共に、情報電極群が選択状態となるように設定する設定手段と、前記設定手段により走査電極群が非選択状態に設定されかつ情報電極群が選択状態に設定されたときに、全面一括消去をするために前記生成手段で生成された交流化信号と反転信号とを前記駆動手段に入力する制御手段と、を備えている。
【０００９】
本発明の液晶素子用制御装置は、強誘電性液晶素子に画像を表示させるためのものである。液晶素子用制御装置は、駆動手段により走査電極群と情報電極群を駆動する。強誘電性液晶素子は、安定化のため、交流化信号を印加することが一般的である。本発明では、生成手段により、交流化信号と、交流化信号を反転させた反転信号とを生成する。画像表示のときには、任意の走査電極及び情報電極を選択状態に設定するが、全画面を消去するときには全ての走査電極すなわち走査電極群を非選択状態に設定する必要がある。そこで、設定手段は、走査電極群を非選択状態に設定すると共に、情報電極群を選択状態に設定する。設定手段によって走査電極群が非選択状態に、情報電極群が選択状態に設定されたときには、制御手段は、駆動手段へ交流化信号と反転信号とを入力する。このように、走査電極群が非選択状態に設定され、情報電極群が選択状態に設定されたときには、強誘電性液晶素子すなわち画面を消去可能な状態に設定できる。また、駆動手段へ交流化信号と反転信号とを入力することによって、相対差例えば電圧差を大きくとることができ、画面を消去するに十分な信号入力が可能となる。
【００１０】
請求項２に記載の発明は、請求項１に記載の液晶素子用制御装置において、前記設定手段は、画像の表示終了後に画面最初の走査を活性化させずに次走査への指示信号を出力して前記走査電極群を非選択状態に設定することを特徴とする。
【００１１】
標準的な駆動手段の一例にはドライバＩＣがある。ドライバＩＣは、表示装置の液晶素子を走査すなわちラインを順次選択してデータを書き込んだり消去したりする駆動用のものである。一般的には、所謂コモン側の走査電極群と所謂セグメント側の情報電極群との各々独立したものが用いられる。本発明では、画像の表示終了後に、すなわち最終ラインにデータが残っている状態で、画面最初の走査を非活性化、すなわち１ライン目を選択しない。この状態で、次走査への指示信号を出力する。この指示信号の出力は次のラインへ移行するクロック入力が望ましい。最終ラインの次ラインは存在しないため、最終ラインから次走査へ指示することにより、コモン側の全ラインが非選択の状態となる。そして、セグメント側の情報電極を全て選択することでセグメント側の全ライン選択とコモン側の全ライン非選択を行うことができる。その状態で、情報電極群及び走査電極群（コモン側及びセグメント側）に、反転した交流化信号を入力することによって、全面一括消去することができる。従って、非選択のドライバＩＣの出力端子を発生させることなく、簡単に制御することができる。
【００１２】
請求項３に記載の発明の液晶素子用制御方法は、強誘電性液晶素子に画像を表示させるための複数の走査電極からなる走査電極群と、複数の情報電極からなる情報電極群と、を駆動する駆動方法であって、前記強誘電性液晶素子を駆動するための交流化信号と、全面一括消去期間において前記交流化信号を反転させた反転信号とを生成し、走査電極群を非選択状態に設定しかつ、情報電極群を選択状態に設定し、全面一括消去をするために前記設定した走査電極群及び前記情報電極群に、前記生成した交流化信号と反転信号とを入力する。
【００１３】
このようにすることにより、標準的に使用できる安価なＳＴＮ液晶駆動用ドライバＩＣを使って、特に、２パルス法で単純マトリクス強誘電性液晶素子の駆動で、反転された交流化信号を１本追加するだけで、容易に全面一括消去を行うことができる。
【００１４】
【発明の実施の形態】
以下、図面を参照して本発明の実施の形態の一例を詳細に説明する。本実施の形態は液晶表示装置に本発明を適用したものである。
【００１５】
図１に示すように、本発明の実施の形態にかかる液晶表示装置は、液晶光学素子１０、セグメントドライバ１２、コモンドライバ１４、ＬＣＤ信号発生回路１６、電圧発生回路１８、及びビデオＲＡＭ等のフレームメモリ２０を備えている。液晶光学素子１０、セグメントドライバ１２、及びコモンドライバ１４により液晶パネルを構成している。液晶光学素子１０は、強誘電性液晶材料を用いたドットマトリクス型液晶光学素子であり、例えば強誘電性液晶をフィルム基板により挟んでその片面に反射板付き偏光板が張り合わされ、反対の面に偏光板が張り合わされている。画素数はセグメント側（情報ライン側）×コモン側（走査ライン側）が６４０×４８０画素である。
【００１６】
セグメントドライバ１２はセグメント側液晶駆動用ＩＣであり、例えば日立製作所のＨＤ６６１１０を用いることができる。コモンドライバ１４はコモン側液晶駆動用ＩＣであり、例えば日立製作所のＨＤ６６１１３を用いることができる。セグメントドライバ１２及びコモンドライバ１４は何れもＳＴＮ液晶駆動用のドライバＩＣである。
【００１７】
セグメントドライバ１２の入力側は、液晶駆動用信号のうち信号ＣＬ１，ＭＳ，ＤＯ〜Ｄ３，ＣＬ２が入力されるようにＬＣＤ信号発生回路１６に接続されている。また、セグメントドライバ１２の入力側は、ロジック用の電源ＶＣＣ，液晶駆動レベルＶ１，Ｖ２，Ｖ３，Ｖ４の電源電圧が入力されるように電圧発生回路１８に接続されている。セグメントドライバ１２は、液晶駆動出力として信号Ｙｓを出力するものであり、セグメントドライバ１２の出力側は、液晶光学素子１０の一方の端子群に接続されている。
【００１８】
図２に示すように、セグメントドライバ１２における、液晶駆動出力として信号Ｙｓは、交流化信号Ｍと表示データＤの組み合わせで出力レベルが定まるものである。詳細には、交流化信号Ｍ（ここではＭＳが入力される）と表示データＤの組み合わせを（Ｄ，Ｍ）と表記し、交流化信号Ｍがハイレベルで「１」、ローレベルで「０」として、表示データＤを「１」または「０」とするとき、以下のように定められる。
（Ｄ，Ｍ）＝（１，１）の場合には出力レベルＶ１
（Ｄ，Ｍ）＝（１，０）の場合には出力レベルＶ２
（Ｄ，Ｍ）＝（０，１）の場合には出力レベルＶ３
（Ｄ，Ｍ）＝（０，０）の場合には出力レベルＶ４
【００１９】
コモンドライバ１４の入力側は、液晶駆動用信号のうち信号ＦＬＭ，ＣＬ１，ＭＣ，ＤＩＳＰが入力されるようにＬＣＤ信号発生回路１６に接続されている。また、コモンドライバ１４の入力側は、ロジック用の電源ＶＣＣ，液晶駆動レベルＶ１，Ｖ２，Ｖ５，Ｖ６の電源電圧が入力されるように電圧発生回路１８に接続されている。このコモンドライバ１４は、液晶駆動出力として信号Ｙｃを出力するものであり、コモンドライバ１４の出力側は、液晶光学素子１０の他方の端子群に接続されている。
【００２０】
図３に示すように、コモンドライバ１４における、液晶駆動出力として信号Ｙｃは、交流化信号Ｍ（ここではＭＣが入力される）と表示データＤの組み合わせで出力レベルが定まるものである。詳細には、以下のように定められる。
（Ｄ，Ｍ）＝（１，１）の場合には出力レベルＶ２
（Ｄ，Ｍ）＝（１，０）の場合には出力レベルＶ１
（Ｄ，Ｍ）＝（０，１）の場合には出力レベルＶ６
（Ｄ，Ｍ）＝（０，０）の場合には出力レベルＶ５
これらのドライバＩＣの内部ブロックダイアグラム及び信号端子の機能は、データブック・日立ＬＣＤコントローラ／ドライバＬＳＩ'９６．３版にも詳細に記載されている。
【００２１】
ＬＣＤ信号発生回路１６は液晶駆動用の信号を発生させる回路であり、ロジック回路をＰＬＤ（プログラマブル・ロジック・デバイス）を用いて１チップ化したものである。電圧発生回路１８は液晶パネルに印加される駆動電圧を発生させる回路である。電圧発生回路１８はトランジスタ、抵抗Ｒ，オペアンプが組み合わせて構成され、本実施の形態では、５個の抵抗が直列に接続された抵抗群の一端が接地されかつ他端がトランジスタを介して所定の電源電圧（４０Ｖ）に接続されている。本実施の形態では、電圧発生回路１８の抵抗Ｒは１０ｋΩに設定している。抵抗群の両端は、出力レベルＶ１、Ｖ２の出力を得る端子として機能し、抵抗間の接続端はオペアンプに接続され、オペアンプの出力端は出力レベルＶ３、Ｖ４、Ｖ５、Ｖ６を得る端子として機能する。これらの出力レベルはＶ２＜Ｖ５＜Ｖ４＜Ｖ３＜Ｖ６＜Ｖ１に設定されている。
【００２２】
ＬＣＤ信号発生回路１６では液晶駆動用信号である、ＦＬＭ、ＣＬｌ、ＭＣ、ＭＳ、ＤＩＳＰ、ＣＬ２の各々を発生させており、Ｄ０〜Ｄ３はフレームメモリ２０からＬＣＤ信号発生回路１６に供給され、セグメントドライバ１２及びコモンドライバ１４に入力させている。
【００２３】
ＦＬＭはフレーム信号であり、画面の切り替わり等を表す信号である。ＣＬ１はセグメント側表示データのラッチ信号であると共に、コモン側シフトクロック信号である。ＭＣはコモン側液晶駆動電圧交流化信号（全面一括消去期間で交流化信号ＭＳを反転させた反転信号を含む。）であり、ＭＳはセグメント側液晶駆動電圧交流化信号である。ＤＩＳＰは液晶駆動出力オフ信号である。また、ＣＬ２は表示データの取り込み信号であり、このＣＬ２によりドライバＩＣでは表示データを取り込むものである。
【００２４】
Ｄ０〜Ｄ３は液晶光学素子１０に表示させる表示データであり、フレームメモリ２０から供給されるものである。この表示データＤ０〜Ｄ３は「１」でセグメントドライバ１２が選択レベルとなり液晶表示オンとするためのものである。また表示データＤ０〜Ｄ３は「０」でセグメントドライバ１２が非選択レベルとなり液晶表示オフとするためのものである。
【００２５】
また、ＬＣＤ信号発生回路１６では、通常１つである液晶駆動電圧交流化信号を、少なくとも一部を反転させた反転信号を生成する機能を有している。
【００２６】
次に、本実施の形態にかかる液晶表示装置の作動を説明する前に、通常の全面一括消去方法を説明する。
【００２７】
まず、液晶表示装置の作動として、同一の駆動電圧交流化信号をドライバＩＣに入力させた場合を説明する。この場合の構成は交流化信号の一方（例えばＭＳ）の同一信号をセグメントドライバ及びコモンドライバの双方に入力させればよい。
【００２８】
この構成で、全面一括消去を行う場合、セグメント側の情報電極を全て選択し、さらに走査側の全てのラインを選択しなければならない。この場合、書き込み電圧と同じ電圧値で消去を行うことになる。
【００２９】
図７には同一の交流化信号のみによる液晶表示装置の駆動フローを示し、図８にはそのタイミングチャートを示した。図７のステップ２００では、液晶光学素子１０コモン側の全ラインを選択する。通常、コモン側のドライバＩＣ、すなわち、コモンドライバ１４は、ライン選択用のデータのセットをシフトレジスタで行っているので、ステップ２００において全ライン選択、すなわちコモンドライバ１４の全ラインにデータ「１」をセットするためには、走査ライン数だけデータ「１」をクロックで送る（図８では全ライン選択期間中の４７９パルス）必要がある。
【００３０】
次のステップ２０２では、セグメント側の表示データを選択する。すなわち、データ線側であるセグメントドライバ１２にオール「１」のデータをセットする。このようにして、全ライン選択した後、ステップ２０４において、全面一括消去のための消去パルスを印加し、画面消去を行う。この消去パルスは、交流化信号Ｍである。この場合のセグメント側の出力電圧ＹｓはＭ＝１のときＶ１となりまたＭ＝０のときＶ２となり、コモン側の出力電圧ＹｃはＭ＝１のときＶ２となりまたＭ＝０のときＶ１となる。このとき、液晶光学素子１０に印加されるその合成電圧は、Ｍ＝１のとき＋Ｖ１でＭ＝０のとき−Ｖ１となる（図８参照）。
【００３１】
次のステップ２０６では、コモン側の全ライン選択で残存しているシフトレジスタのデータクリア（すなわち全ライン非選択）を行う。すなわち、全面一括消去の後は、１ラインずつ選択しなければならないため、いったん選択ラインのコモン側のドライバＩＣのデータをオール「０」にセットする。このステップ２０６では、再度「０」データをクロックで全ラインに出力する。このため、クロックをライン数分出力しなければならない（１ライン目選択期間中の４７９パルス）。次のステップ２０８では、コモン側を１ラインづつ選択し表示データを書き込むことによって、画面の走査書き込みを行い、全画面終了すると（最終ライン書き込みの後）、次のステップ２１０において、Ｄｉｓｐ信号をオフにして書き込みを停止、終了する。
【００３２】
このように、一括全面消去のためには、通常２回、全ライン数分のクロック入力を行わなければならない。
【００３３】
上記のようなコモン側のデータの入れ替えを行わない場合を考えると、通常、駆動前のコモン側のデータは全て「０」となっている。この場合、図９に示すように、交流化信号Ｍがセグメント側及びコモン側共に、同信号を入力すると、セグメント側に何れのデータを設定しても、液晶光学素子１０では大きな電圧差が生じない。このような小さな電圧差では、消去は可能であるが、消去には、膨大な時間を要する。これは、強誘電性液晶光学素子１０の透過状態を変化させるには電圧とパルス幅両方に依存する性質があるためであり、電圧が５分の１である場合、印加時間約５倍必要となる。完全に消去を行う場合には、その５倍から１０倍の印加時間が必要となる。このため、上記のようにコモン側のデータの出し入れが必要となり、一括全面消去に係る制御が煩雑になり、時間も長くなる。
【００３４】
そこで、本実施の形態では、全面一括消去を行うため、１ライン目の選択を行わず、つまり最終ラインにデータが残っている状態で、セグメント側の情報電極を全て選択して、フレーム信号をハイレベルに設定せずに、コモン側のクロックを入れることでセグメント側の全ライン選択とコモン側の全ライン非選択を行う。その状態で、コモン側とセグメント側に入力する液晶駆動出力交流化信号を、コモン側を「１」から「０」に設定したとき、セグメント側を「０」から「１」に設定することで全面一括消去を行う。なお、全面一括消去にかける時間は印画のライン周期に対して５倍の長さに設定することが好ましい。
【００３５】
すなわち、通常、画面表示が終了するとコモン側のデータは、最終ラインに入っている。一般に市販されているＳＴＮ用のコモン側ドライバＩＣは、クロックが入ることで、データをシフトしていく。１ライン目の選択時には、フレーム信号が入りそのフレーム信号がハイレベルの時に同期してクロックが入ることで、１ライン目のデータが１となり選択され、最終ラインに残っていたデータは、クロックが入ったことによってシフトされ、そのラインが最終であるため、つまりシフトの先がないためにそのデータはコモン側のＩＣに残らず出て行くことになるためである。
【００３６】
図４には相互に反転した交流化信号による液晶表示装置の駆動フローを示し、図５にはそのタイミングチャートを示した。まず、液晶表示装置における具体的な信号について説明する。ＬＣＤ信号発生回路１６は、液晶光学素子１０への出力を停止している状態のとき、各信号はローレベルに固定されている。そして、ＬＣＤ信号発生回路１６への印画のトリガ（画像の書込指示）を受け取ると、図５に示す模式的なタイミングチャートのタイミングで各信号を発生する。
【００３７】
本実施の形態では、ライン周期を２ｍｓとして、全面一括消去期間をライン周期の５倍である１０ｍｓに設定した。また液晶駆動電圧（Ｖ１）は３５Ｖとした。画面走査書き込み期間では、セグメントドライバ１２及びコモンドライバ１４へ、通常の使い方通り駆動電圧交流化信号を同じ位相で入れているが、全面一括消去期間には反転した信号波形（交流化信号ＭＳ，交流化信号ＭＳの反転信号ＭＣ）を入力している。一括消去期間から画面走査書き込み期間の、交流化信号Ｍ、セグメント側電極のデータ、コモン側電極のデータによる、セグメント、コモン、液晶駆動出力値と液晶に印加されている合成電圧波形は、図５のようになる。
【００３８】
詳細には、ＬＣＤ信号発生回路１６への印画のトリガーを受け取ると、図４の駆動フローが実行され、セグメント側の全表示データを選択するために、ステップ１００でデータＤ０〜Ｄ３をハイレベルにセットし、次のステップで表示データの取り込み信号ＣＬ２により所定個（本実施の形態では１６０個）のクロックを印加し、次のステップ１０４でセグメント側表示データのラッチ信号ＣＬ１により１パルスを印加させる。
【００３９】
次に、画面消去のために、ステップ１０６においてＤＩＳＰ信号をハイレベルに設定し、次のステップ１０８で全面一括消去期間のデューティ５０％の交流化信号ＭＳと、反転された信号ＭＣとを印加する（消去パルス）。この場合のセグメント側の出力電圧ＹｓはＭＳ＝１のときＶ１となりまたＭＳ＝０のときＶ２となる。コモン側の出力電圧ＹｃはＭＣ＝０のときＶ５となりまたＭＣ＝１のときＶ６となる。このとき、液晶光学素子１０に印加されるその合成電圧は、ＭＳ＝１（ＭＣ＝０）のとき＋Ｖ６となりまたＭＳ＝０（ＭＣ＝１）のとき−Ｖ６となる（図５参照）。
【００４０】
次に、画面走査書き込み、すなわち、コモン側を１ラインづつ選択して表示データに応じた書き込みを行うため、次のように駆動する。ステップ１１０ではフレームメモリから１ライン分のデータを読み取り、データＤ０〜Ｄ３として信号ＣＬ２に同期させて出力する。次のステップ１１２では、ＦＬＭ信号をハイレベルに設定し、信号ＣＬ１を入力させる。次のステップ１１４では、ライン周期期間内にフレームメモリから１ライン分のデータを読み取り、データＤ０〜Ｄ３を信号ＣＬ２に同期させて出力すると共に、デューティ５０％の交流化信号ＭＳ、ＭＣを印加する。次のステップ１１６では信号ＣＬ１を入力し、ステップ１１０からステップ１１６を所定回（本実施の形態では４７９回）だけ繰り返す（ステップ１１８）。このようにして、コモン側を１ラインづつ選択し表示データを書き込むことによって、画面の走査書き込みを行い、全画面終了すると（最終ライン書き込みの後）、次のステップ１２０において、Ｄｉｓｐ信号をオフ（ローレベル）にして書き込みを停止、終了する。
【００４１】
上記のように、交流化信号Ｍがセグメント側とコモン側とに、反転した交流化信号（交流化信号ＭＳと、交流化信号ＭＳの反転信号ＭＣ）を入力することによって（図６参照）、液晶光学素子１０で大きな電圧差が生じることになり、容易かつ短時間で全面消去が可能となる。従って、コモン側のデータの出し入れは不用となり、一括全面消去に係る制御を短時間でかつ単純化できる。
【００４２】
図６に示すように、本実施の形態による全面―指消去期間のセグメントドライバ１２及びコモンドライバ１４の出力と、これにより液晶に印加される合成出力は、全面一括消去の期間において、１ライン選択期間の書き込み電圧の４／５倍の電位となる。すなわち全面一括消去期間に液晶光学素子１０にかかる電圧は、本実施の形態の場合２８Ｖになる。
【００４３】
強誘電性液晶光学素子の透過率を変えるパルスの閾値は、電圧とパルス幅で決定される。従って、電圧が低くてもパルス幅が長ければ、闘値を超えることが分かる。この場合、画面走査書き込み期間での電圧値がＶｌ、すなわち３５Ｖであり、印加パルス幅は２ｍｓであるので、消去に必要なパルス幅はおよそ２．５ｍｓである。全面一括消去のパルス幅は、１ライン選択期間の書き込みパルスの幅の５倍とした。つまり、１０ｍｓであり、２．５ｍｓより充分長くしている。
【００４４】
特開平５−２９７３４９号公報に記載の技術では、表示品質を上げるために、１ライン選択期間の書き込みパルスの幅より１０倍以上としてるが、本実施の形態によれば、１ライン選択期間の書き込みパルス電圧の４／５倍の２８Ｖであっても、全面一括消去期間が１ライン選択期間の５倍の１０ｍｓで、表示品質の面では十分であり、より短時間で消去が可能であることを確認している。
【００４５】
このように、本実施の形態では、標準的な液晶光学素子の駆動ＩＣ、すなわち、コモン側の駆動ＩＣとセグメント側の駆動ＩＣを用いて、液晶光学素子を駆動する場合に、最終ラインにデータが残っている状態で、画面最初の走査すなわち１ライン目を選択せずに、次ラインを選択させる。これにより、最終ラインの次ラインは存在しないため、コモン側の全ラインが非選択の状態となる。そして、セグメント側の全ラインを選択させて、コモン側及びセグメント側に、各々が反転した交流化信号（交流化信号ＭＳと、交流化信号ＭＳの反転信号ＭＣ）を入力することによって、全面一括消去する。これによって、ダミーのドライバＩＣの出力端子を発生させることなく、また、全ライン数分のクロック入力を２回行うこともない。
【００４６】
以上、本発明の実施の形態について説明したが、本実施の形態には特許請求の範囲に記載した要件以外に、次のような各種の技術事項の実施態様を有するものである。すなわち、本発明の実施の形態では、強誘電性液晶素子の透過状態を変化させるには電圧とパルス幅両方に依存する性質を利用して、情報電極群（セグメント側）と、これに対向して交差した走査電極群（コモン側）とを駆動する駆動手段と、前記駆動手段に対し、前記情報電極群に情報を設定し、互い反転させた交流化信号（交流化信号ＭＳと、交流化信号ＭＳの反転信号ＭＣ）を与える制御手段とを備えている。
【００４７】
また、本発明の実施の形態は、以下の方法を含んでいる。具体的には、一般に市販されているＳＴＮ用単純マトリクス型液晶駆動用のドライブＩＣを使用して，表示データＤＣ及び液晶駆動出力用の交流化信号ＭＣの２つのデジタル制御信号の組み合わせにしたがって、
（ＤＣ，ＭＣ）＝
（１，１）の時Ｖ２、（１，０）の時Ｖｌ、
（０，１）の時Ｖ６、（０，０）の時Ｖ５
のように選択される入力端子Ｖｌ，Ｖ２，Ｖ５，Ｖ６を有し、かつこの入力端子に入力された電圧を出力端子に出力するコモン用駆動ＩＣと、
表示データＤＳ及び液晶駆動出力用の交流化信号ＭＳの二つのデジタル制御信号の組み合わせにしたがって、
（ＤＳ，ＭＳ）＝
（１，１）の時Ｖｌ、（１，０）の時Ｖ２、
（０，１）の時Ｖ３、（０，０）の時Ｖ４
のように選択される入力端子Ｖｌ，Ｖ２，Ｖ３，Ｖ４を有し、かつこの入力端子に入力された電圧を出力端子に出力するセグメント用駆動ＩＣを用いて強誘電性液晶素子を駆動する方法であって、
各電圧は、
Ｖ２＜Ｖ５＜Ｖ４＜Ｖ３＜Ｖ６＜Ｖ１
であり、前記全面一括消去期間には、コモン用駆動ＩＣのデータＤＣは全ビット０とし、セグメント用駆動ＩＣのデータＤＳは全て１として、かつ液晶駆動出力用の交流化信号ＭＣとＭＳは反転した信号であることを特徴とする。
【００４８】
このようにすることにより、全面一括消去の際に、選択ライン側のコモンＩＣにデータを入れ替える必要がなくなる。
【００４９】
このようにすることにより、液晶ドライバＩＣメーカより標準品として購入できる安価なＳＴＮ液晶駆動用ドライバＩＣを使って、特に、２パルス法で単純マトリクス強誘電性液晶素子の駆動において、交流化信号を１本追加するだけで、コモン側のデータの入れ替えの必要がなくなり、また全面一括消去にかかる時間が短くて済み、印画スピードが上げられる。
【００５０】
従って、強誘電性液晶を使ったドットマトリクスタイプのデイスプレイの、標準品として市販されているＳＴＮ液晶用単純マトリクスドライパーＩＣを使っての全面一括消去を、煩雑なシーケンスを加えることなく、また時間を犠牲にせずに行うことが可能となる。
【００５１】
なお、上記の実施の形態では、液晶表示装置に本発明を適用した場合を説明したが、本発明は液晶表示に限定されるものではなく、液晶素子を駆動する各種制御装置への適用が可能である。
【００５２】
【発明の効果】
以上説明したように本発明によれば、強誘電性液晶素子に表示された画像を消去するときに、走査電極群を非選択状態に設定しかつ情報電極群を選択状態に設定したときに、交流化信号と反転信号とを前記駆動手段に入力するので、非接続電極（ダミー電極）を設定する必要はなく、標準的な駆動回路を用いて、強誘電性液晶素子の全画面を一括消去することができる、という効果がある。
【図面の簡単な説明】
【図１】  本発明の実施の形態に係る液晶表示装置の概略構成を示すブロック図である。
【図２】  液晶素子駆動用のセグメントドライバの出力レベルを説明するための説明図である。
【図３】  液晶素子駆動用のコモンドライバの出力レベルを説明するための説明図である。
【図４】  本発明の実施の形態に係る液晶表示装置の駆動処理の流れを示すフローチャートである。
【図５】  液晶表示装置における信号を示すタイミングチャートである。
【図６】  反転された交流化信号を用いて画面を一括消去する過程を電圧レベルで説明するための説明図である。
【図７】  同一の交流化信号を用いて画面を一括消去する通常処理を含む液晶表示装置の駆動処理の流れを示すフローチャートである。
【図８】  同一の交流化信号を用いて画面を一括消去する通常処理を含む液晶表示装置における信号を示すタイミングチャートである。
【図９】  同一の交流化信号を用いて画面を一括消去する過程を電圧レベルで説明するための説明図である。
【符号の説明】
１０    液晶光学素子
１２    セグメントドライバ
１４    コモンドライバ
１６    ＬＣＤ信号発生回路
１８    電圧発生回路
２０    フレームメモリ
【図１】
0003752875.tif 000002
【図２】
0003752875.tif 000003
【図３】
0003752875.tif 000004
【図４】
0003752875.tif 000005
【図５】
0003752875.tif 000006
【図６】
0003752875.tif 000007
【図７】
0003752875.tif 000008
【図８】
0003752875.tif 000009
【図９】
0003752875.tif 000010